【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
印刷ジョブの出力制限の制御を行うための印刷制御データを生成する生成装置であって、
有効期限が設定されている第１の印刷制御データを生成する第１の印刷制御データ生成手段と、
前記第１の印刷制御データ生成手段により生成された第１の印刷制御データに基づく印刷制御データの再発行の依頼が前記有効期限外に行われたことに応じて、前記第１の印刷制御データに対応する第２の印刷制御データを生成する第２の印刷制御データ生成手段とを有し、
印刷装置において、前記第２の印刷制御データ生成手段により生成された第２の印刷制御データを用いて印刷ジョブの出力制限が行われることを特徴とする生成装置。
【請求項２】
前記印刷制御データの再発行の依頼が行われた際に、印刷制御データの再発行をするか否かを判断する再発行判断手段を有し、
前記第２の印刷制御データ生成手段は、前記再発行判断手段により再発行すると判断されたことに応じて、前記第１の印刷制御データに対応する第２の印刷制御データを生成することを特徴とする請求項１に記載の生成装置。
【請求項３】
前記第１の印刷制御データ生成手段は、再発行の期限が設定されている第１の印刷制御データを生成し、
前記再発行判断手段は、前記印刷制御データの再発行の依頼が前記第１の印刷制御データに設定されている再発行の期限外に行われた際には、印刷制御データを再発行しないと判断することを特徴とする請求項２に記載の生成装置。
【請求項４】
前記再発行の期限は、前記第１の印刷制御データに含まれ、設定されていることを特徴とする請求項３に記載の生成装置。
【請求項５】
前記再発行判断手段は、前記第１の印刷制御データを取得し、当該取得した第１の印刷制御データの署名情報が正当なものでないと判定された際には、再発行しないと判断することを特徴とする請求項２乃至４の何れか１項に記載の生成装置。
【請求項６】
前記再発行判断手段は、前記再発行の依頼の依頼元の証明書が予め記憶されていない場合には、再発行しないと判断することを特徴とする請求項２乃至５の何れか１項に記載の生成装置。
【請求項７】
前記再発行判断手段は、前記印刷ジョブの出力先である印刷装置で前記第１の印刷制御データが保持されている際には、印刷制御データを再発行しないと判断することを特徴とする請求項２乃至６の何れか１項に記載の生成装置。
【請求項８】
前記第２の印刷制御データ生成手段は、前記印刷制御データの再発行の依頼の依頼元からの情報に基づき設定される前記印刷ジョブの出力先を含む第２の印刷制御データを生成することを特徴とする請求項１乃至７の何れか１項に記載の生成装置。
【請求項９】
印刷ジョブの出力制限の制御を行うための第１の印刷制御データを含む印刷ジョブを入力する入力手段と、
前記入力手段により入力された印刷ジョブに含まれる第１の印刷制御データに対応する印刷制御データの再発行の依頼をする依頼手段と、
前記依頼手段の再発行の依頼に応じて発行される前記第１の印刷制御データに対応する第２の印刷制御データと、前記第１の印刷制御データの代わりに前記第２の印刷制御データを用いることを指定する属性変更命令情報とを前記印刷ジョブに付加する付加手段と、
前記付加手段により第２の印刷制御データと属性変更命令情報とが付加された印刷ジョブを出力する出力手段とを有することを特徴とする印刷管理装置。
【請求項１０】
前記付加手段は、前記印刷ジョブに含まれる情報の改ざんを防止するための改ざん防止情報を前記印刷ジョブに更に付加することを特徴とする請求項９に記載の印刷管理装置。
【請求項１１】
前記付加手段は、前記印刷ジョブの属性情報を変更するための情報を前記印刷ジョブに更に付加することを特徴とする請求項９又は１０に記載の印刷管理装置。
【請求項１２】
前記印刷ジョブの属性情報を変更するための情報は、前記印刷ジョブのジョブＩＤ、印刷体裁、印刷部数、及び印刷ページ数のうち、少なくとも何れかの変更を指定する情報を含むことを特徴とする請求項１１に記載の印刷管理装置。
【請求項１３】
前記第１の印刷制御データには有効期限が設定され、
前記第２の印刷制御データは、前記依頼手段による再発行の依頼が前記第１の印刷制御データに設定される有効期限外に行われたことに応じて発行されることを特徴とする請求項９乃至１２の何れか１項に記載の印刷管理装置。
【請求項１４】
前記第１の印刷制御データには再発行の期限が設定され、
前記第２の印刷制御データは、前記依頼手段による再発行の依頼が前記第１の印刷制御データに設定される再発行の期限内に行われたことに応じて発行されることを特徴とする請求項９乃至１２の何れか１項に記載の印刷管理装置。
【請求項１５】
印刷制御データを用いて、入力されたジョブの出力制限の制御を行う印刷装置であって、
前記ジョブに複数の印刷制御データが含まれる場合に、属性変更命令情報に基づき何れかの印刷制御データを用いることを決定する決定手段と、
前記決定手段により決定された印刷制御データを用いて前記ジョブの出力制限を行う制御手段とを有することを特徴とする印刷装置。
【請求項１６】
前記決定手段により決定された印刷制御データには有効期限が設定され、
前記制御手段は、前記有効期限を経過している場合には、前記ジョブに基づく出力を取り消すことを特徴とする請求項１５に記載の印刷装置。
【請求項１７】
ジョブの出力の際に用いた印刷制御データを記憶する記憶手段と、
前記記憶手段に記憶された印刷制御データが、入力されたジョブに含まれているか否かを判定する判定手段とを有し、
前記制御手段は、前記判定手段により、前記記憶手段に記憶された印刷制御データが、入力されたジョブに含まれていると判定された場合には、前記ジョブに基づく出力を取り消すことを特徴とする請求項１５又は１６に記載の印刷装置。
【請求項１８】
前記ジョブには、第１の印刷制御データと、当該第１の印刷制御データに対応して再発行された第２の印刷制御データとが含まれ、
前記決定手段は、属性変更命令情報に基づき、再発行された前記第２の印刷制御データを用いることを決定することを特徴とする請求項１５乃至１７の何れか１項に記載の印刷装置。
【請求項１９】
印刷ジョブの出力制限の制御を行うための印刷制御データを生成する生成方法であって、
有効期限が設定されている第１の印刷制御データを生成する第１の印刷制御データ生成ステップと、
前記第１の印刷制御データ生成ステップにより生成された第１の印刷制御データに基づく印刷制御データの再発行の依頼が前記有効期限外に行われたことに応じて、前記第１の印刷制御データに対応する第２の印刷制御データを生成する第２の印刷制御データ生成ステップと、
印刷装置において、前記第２の印刷制御データ生成ステップにより生成された第２の印刷制御データを用いて印刷ジョブの出力制限を行う出力制限ステップとを有することを特徴とする生成方法。
【請求項２０】
印刷ジョブの出力制限の制御を行うための第１の印刷制御データを含む印刷ジョブを入力する入力ステップと、
前記入力ステップにより入力された印刷ジョブに含まれる第１の印刷制御データに対応する印刷制御データの再発行の依頼をする依頼ステップと、
前記依頼ステップの再発行の依頼に応じて発行される前記第１の印刷制御データに対応する第２の印刷制御データと、前記第１の印刷制御データの代わりに前記第２の印刷制御データを用いることを指定する属性変更命令情報とを前記印刷ジョブに付加する付加ステップと、
前記付加ステップにより第２の印刷制御データと属性変更命令情報とが付加された印刷ジョブを出力する出力ステップとを有することを特徴とする印刷管理方法。
【請求項２１】
印刷制御データを用いて、入力されたジョブの出力制限の制御を行う印刷制御方法であって、
前記ジョブに複数の印刷制御データが含まれる場合に、属性変更命令情報に基づき何れかの印刷制御データを用いることを決定する決定ステップと、
前記決定ステップにより決定された印刷制御データを用いて前記ジョブの出力制限を行う制御ステップとを有することを特徴とする印刷制御方法。
【請求項２２】
印刷ジョブの出力制限の制御を行うための印刷制御データを生成することをコンピュータプログラムに実行させるためのコンピュータプログラムであって、
有効期限が設定されている第１の印刷制御データを生成する第１の印刷制御データ生成ステップと、
前記第１の印刷制御データ生成ステップにより生成された第１の印刷制御データに基づく印刷制御データの再発行の依頼が前記有効期限外に行われたことに応じて、前記第１の印刷制御データに対応する第２の印刷制御データを生成する第２の印刷制御データ生成ステップとをコンピュータに実行させ、
印刷装置において、前記第２の印刷制御データ生成ステップにより生成された第２の印刷制御データを用いて印刷ジョブの出力制限が行われることを特徴とするコンピュータプログラム。
【請求項２３】
印刷ジョブの出力制限の制御を行うための第１の印刷制御データを含む印刷ジョブを入力する入力ステップと、
前記入力ステップにより入力された印刷ジョブに含まれる第１の印刷制御データに対応する印刷制御データの再発行の依頼をする依頼ステップと、
前記依頼ステップの再発行の依頼に応じて発行される前記第１の印刷制御データに対応する第２の印刷制御データと、前記第１の印刷制御データの代わりに前記第２の印刷制御データを用いることを指定する属性変更命令情報とを前記印刷ジョブに付加する付加ステップと、
前記付加ステップにより第２の印刷制御データと属性変更命令情報とが付加された印刷ジョブを出力する出力ステップとをコンピュータに実行させることを特徴とするコンピュータプログラム。
【請求項２４】
印刷制御データを用いて、入力されたジョブの出力制限の制御を行うことをコンピュータに実行させるためのコンピュータプログラムであって、
前記ジョブに複数の印刷制御データが含まれる場合に、属性変更命令情報に基づき何れかの印刷制御データを用いることを決定する決定ステップと、
前記決定ステップにより決定された印刷制御データを用いて前記ジョブの出力制限を行う制御ステップとをコンピュータに実行させることを特徴とするコンピュータプログラム。
【手続補正２】
【補正対象書類名】明細書
【補正対象項目名】発明の名称
【補正方法】変更
【補正の内容】
【発明の名称】生成装置、印刷管理装置、及び印刷装置
【手続補正３】
【補正対象書類名】明細書
【補正対象項目名】０００１
【補正方法】変更
【補正の内容】
【０００１】
本発明は、生成装置、印刷管理装置、及び印刷装置に関し、特に、印刷ジョブの出力を制限するために用いて好適なものである。
【手続補正４】
【補正対象書類名】明細書
【補正対象項目名】００１２
【補正方法】変更
【補正の内容】
【００１２】
本発明の生成装置は、印刷ジョブの出力制限の制御を行うための印刷制御データを生成する生成装置であって、有効期限が設定されている第１の印刷制御データを生成する第１の印刷制御データ生成手段と、前記第１の印刷制御データ生成手段により生成された第１の印刷制御データに基づく印刷制御データの再発行の依頼が前記有効期限外に行われたことに応じて、前記第１の印刷制御データに対応する第２の印刷制御データを生成する第２の印刷制御データ生成手段とを有し、印刷装置において、前記第２の印刷制御データ生成手段により生成された第２の印刷制御データを用いて印刷ジョブの出力制限が行われることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明によれば、例えば、ホストコンピュータからの印刷ジョブを中継する印刷管理装置がユーザ認証情報を保持していなくても、印刷管理装置からの要求に応じて印刷制御データを更新して再発行することが可能になり、印刷ジョブの出力を柔軟且つ適切に制御可能になる。